(57)【特許請求の範囲】
【請求項１】
平らに折り畳まれた状態と、物体を受け入れるべく開放する展開した機能状態と、の間で切り替わるように枢着されているコンパートメント（１；１０１；２０１）を備えた物体ディスプレイの基本支持体であって、
前記コンパートメントが、複数のヒンジ辺（７〜１０；１０７〜１１０；２０７〜２１０）により枢着された複数の面を備えたスリーブ（２；１０２；２０２）と、少なくとも１つの引っ込み可能な回動保持壁（１５、１６；１１５、２２１）と、を含み、
前記回動保持壁は、前記コンパートメントを展開して開放した状態に保持し、
前記物体ディスプレイの基本支持体は、さらに、前記回動保持壁を引っ込んでいない保持位置に付勢するための弾性手段（２７；１２７；２１９；２２０）を備え、
前記回動保持壁を前記弾性手段の作用に抗して引っ込ませることによって前記コンパートメントの折り畳みが行われるようになっており、
前記スリーブの複数の面は床面と天井面とを含み、前記回動保持壁（１５、１６；１１５、２２１）が前記床面（５；１０５；２０５）と前記天井面（３；１０３；２０３）との間の支え壁となり、前記コンパートメントが前記天井面上で物体を支持できるように当該天井面を支える、物体ディスプレイの基本支持体。
【請求項２】
前記回動保持壁（１５、１６；１１５）が、前記スリーブのヒンジ辺に直交する辺（１７、１８；１１６）で回動するように配置される、請求項１記載の支持体。
【請求項３】
前記回動保持壁（１１、１２）が、前記スリーブの外側の辺（１３、１４）で回動するように装着されている、請求項１および２のいずれかに記載の支持体。
【請求項４】
前記回動保持壁（１１５；２２１）が、前記スリーブ（１０２；２０２）の内側にある辺（１１６；２１２）で回動するように装着されている、請求項１および２のいずれかに記載の支持体。
【請求項５】
前記支持体（１）が、１つのコンパートメント（１）を含む、請求項１〜３のいずれかに記載の支持体。
【請求項６】
前記支持体（１０１；２０１）が、２つのコンパートメント（１３０、１３１；２３３、２３４）を含む、請求項１、２、４のいずれかに記載の支持体。
【請求項７】
前記回動保持壁（２２１）が、前記ヒンジ辺に平行な辺（２１２）で回動するように装着されている、請求項１、４、６のいずれかに記載の支持体。
【請求項８】
前記回動保持壁（２２１）が、前記コンパートメントの折り畳み状態及び展開状態において当該保持壁に平行なコンパートメント（２０１）の面（２０４、２０６）と同様にくり抜かれている、請求項７記載の支持体。
【請求項９】
前記スリーブ（２０２）の外側の辺（２２６〜２２９）で自由に回動するように装着された二次的な保持壁（２３０〜２３２）が設けられる、請求項８記載の支持体。
【請求項１０】
請求項１〜９のいずれかに記載の基本支持体（１、１００、１５０、２０１）のセット。
【発明の詳細な説明】
【技術分野】
【０００１】
本発明の分野は、それ自体が折り畳め、半自動的に展開でき、良好な状態で運搬や保管ができると同時に現場に迅速に設置できるという利点を持ったディスプレイに関する。
【背景技術】
【０００２】
支持体を折り畳まれた状態から展開し始めるだけで、弾性付勢手段の作用によって完全に自動的に展開する。
【０００３】
もちろん、逆に付勢手段の作用に抗して支持体を折り畳むことができる。
【０００４】
本出願人はこのようなディスプレイを長い間開発してきた。
【０００５】
本出願人は、情報支持ディスプレイからスタートした。このようなディスプレイは、ＰＬＶによってデザインされ、そして、カラムの形式で提示することができ、販売現場における視覚的なコミュニケーションまたは宣伝のために有用である。このようなディスプレイは、ＦＲ２，８２４，９４６（特許文献１）に記載されている。
【０００６】
次いで本出願人は、その内部空間が、展開した状態において、その中で物体をスライドさせたり、また、支持体から突出している、あるいは突出していない物体の周りで支持体をスライドさせたりできるように、何もない状態であるような支持ディスプレイを提案した。このようなディスプレイは、２００７年４月１８日のフランス特許出願番号第０７  ０２  ８１７号（特許文献２）に記載されている。
【０００７】
さらに本出願人は、ＦＲ２，８４７，０６２（特許文献３）に記載されているような、物体の受け入れも可能にしたＰＬＶ用の情報支持カラムを既に提案している。
【０００８】
ここで本出願人は、同様の原理で作られているものの、まずは物体、そして付随的に情報を支持または提示することを目的としたディスプレイを提案する。
【０００９】
平らに折り畳まれた状態と、物体を収容すべく展開して開放した機能状態と、の間で切り替わるように枢着された多面体コンパートメントと、そのコンパートメントを展開して開放した状態に保持するための引っ込み可能な手段と、前記保持手段を引っ込んでいない保持位置に付勢するゴム手段とを含む物体ディスプレイの基本支持体は、ＷＯ２００５／００４６７７（特許文献４）から既に知られている。保持手段を弾性手段の作用に抗して引っ込ませることによって、コンパートメントが折り畳まれる。
【００１０】
多面体が、複数の平らな面を有する本体であることが想起されるであろう。
【特許文献１】ＦＲ２，８２４，９４６
【特許文献２】フランス特許出願番号第０７  ０２  ８１７号
【特許文献３】ＦＲ２，８４７，０６２
【特許文献４】ＷＯ２００５／００４６７７
【発明の概要】
【発明が解決しようとする課題】
【００１１】
しかしながら、先行文献のコンパートメントでは、かなりの重量の本体または任意の物体を支持することはできない。
【課題を解決するための手段】
【００１２】
したがって本願の発明はまず、以下に定義するタイプの基本支持体に関する。この支持体においては、コンパートメントが、複数のヒンジ辺を有する多面体スリーブと、少なくとも１つの引っ込み可能な回動保持壁を含み、前記複数のヒンジ辺は前記コンパートメントの床面と天井面の境界をなし、前記引っ込み可能な回動保持壁はこの天井面と床面との間で支え機能を提供するように構成される。
【００１３】
保持壁は、引っ込み可能な支え壁である。
【００１４】
このような状態で、コンパートメントはその天井面上でかなりの重量の本体または任意の物体、さらには別の基本支持体や複数の支持体を簡単に支えることができる。
【００１５】
換言すると、コンパートメントが展開されて開放した状態では、天井面と支え壁が床に至るまで力を下方に伝えるロッドをなす。
【００１６】
第１の実施形態では、保持壁はヒンジ辺に直交し多面体スリーブの外方にある辺で回動するように装着される。
【００１７】
別の実施形態では、保持壁はスリーブ内にある辺で回動するように装着される。
【００１８】
第１の実施形態では、支持体は単一のコンパートメントからなり、別の実施形態では２つのコンパートメントからなる。
【００１９】
ある特定の実施形態では、保持壁はヒンジ辺に平行な辺で回動するように装着される。
【００２０】
このコンパートメントにおいて、保持壁を、コンパートメントを折り畳んだ状態及び展開した状態で保持壁に平行なコンパートメント面と同じくくり抜いてもよい。
【００２１】
さらにこのコンパートメントには、多面体スリーブの外側の辺で自由に回動するように装着された二次的な保持壁を設けることができる。
【００２２】
本発明は、上に定義したようなそれぞれの基本支持体のセットにも関する。
【００２３】
本発明の基本支持体および基本支持体のセットのそれぞれの実施形態についての、添付図面を参照しての以下の説明から本発明をよりよく理解できるであろう。
【図面の簡単な説明】
【００２４】
【図１】ディスプレイの基本支持体の第１の実施形態の正面斜視図である。
【図２】図１の支持体の背面斜視図である。
【図３】ディスプレイの基本支持体の２つの第２の実施形態のセットの正面斜視図である。
【図４】本発明に係るディスプレイの基本支持体の第３の実施形態の斜視図である。
【発明を実施するための形態】
【００２５】
図１および２を参照して、本発明のディスプレイの基本支持体の第１の実施形態について説明する。基本支持体は、多面体コンパートメント１、具体的には、ヒンジ辺をなす共通辺７〜１０によってつながった４つの面３〜６を持つスリーブ２を有する平行六面体である。
【００２６】
スリーブ２の一方は、コンパートメント１の対向する２つの面６、４の２つの辺１３、１４に枢着された２つの小さなフラップ１１、１２によってほぼ開いており、この辺１３、１４は垂直で、ヒンジ辺７〜１０に対して直交している。スリーブ２のもう一方は、これから説明するように、コンパートメント１を展開し開放した状態に保持するための２つの引っ込み可能なフラップ１５、１６によって閉じることができる。
【００２７】
保持フラップ１５、１６は両方とも、２つの前方フラップ１１、１２のヒンジ辺１３、１４に対向する面６、４の２つの辺１７、１８で回動するように装着されている。これらのフラップの幅の合計は、開放した状態のスリーブ２の幅、すなわちスリーブ２の床面５と天井面３両方の幅にほぼ等しい。
【００２８】
保持フラップ１５、１６両方の３つの自由縁１９、２０、２１と２２、２３、２４から、また面３、５の後方縁２５、２６から凹みが形成されており、これらの凹みは付勢ゴム２７を受け入れる小穴で終結している。したがってゴム２７は、面３の一対の小穴２８、縁２５付近、フラップ１５の一対の小穴２９、フラップ１５の縁２０付近、面５の一対の小穴３０、縁２６付近、フラップ１６の一対の小穴３１、そしてフラップ１６の縁２３付近を通る。
【００２９】
したがってコンパートメント１は、平らに折り畳まれた状態と、単一のコンパートメントにある物体を受け入れるべく展開され開放した機能状態と、の間で切り替わることができる。平らな状態の場合、スリーブ２の複数の面は４つのヒンジ辺７〜１０で回動して、それぞれ対３、４および５、６になって一方が他方の上にある。このスリーブは、保持フラップ１５、１６が、その張力を緩和するように４対の小穴２８〜３１を実質的に共通の平面上に配置するゴム２７の作用によって、ヒンジ辺に直交する外側の辺１７、１８で回動し、フラップ１５、１６の縁１９、２１と２２、２４が縁２５、２６の平面に実質的に入り込んで面３、５との突き当て部として働くことによって、開放した状態を保つ。そしてこの両フラップは引っ込んでいない保持位置にあって、床面５と天井面３との間の支え機能を提供する。
【００３０】
フラップ１５、１６を引っ込ませる、すなわち付勢ゴム２７の作用に抗してフラップ１５、１６を辺１７、１８で回動させ、面６、４の内側に折り畳むことによって、（スリーブ２の）コンパートメント１を平らにする。
【００３１】
当然、ここまで説明してきたコンパートメント１のようなコンパートメントを、例えば粘着手段などのいかなる適当な固定手段によって、複数個互いに重ねたり接近して並設したりすることもできる。
【００３２】
図３を参照し、本発明に係るディスプレイの基本支持体の２つの第２の実施形態のセットについて説明する。図３でもう一方の要素１５０の上に示されている要素１００（両要素は付勢ゴムによる固定のみが異なる）もまた平行六面体コンパートメント１０１であり、ヒンジ辺をなす共通辺１０７〜１１０でつながった４つの面１０３〜１０６を有するスリーブ１０２を含む。
【００３３】
引っ込み可能な保持壁１１５は、面１０５の中心線１１６で回動できるように取り付けられている。この中心線はコンパートメントのヒンジ辺に直交するように延出し、コンパートメントの前方縁１１１、１１２と後方縁１１３、１１４からほぼ等距離にあり、これらの縁はコンパートメントのヒンジ辺に垂直で、コンパートメントの上面１０３と下面１０５にそれぞれ属する。保持壁は矩形で、スリーブ１０２の開口部分に対応する。幅は縁１１１〜１１４の長さに等しく、高さはヒンジ辺１０７〜１１０をつなぐ辺１１７〜１２０の長さに等しい。
【００３４】
コンパートメントの面１０３の前方縁１１１から、そして回動縁１１６に対向する保持壁１１５の自由縁１２１から凹みが形成されており、これらの凹みは付勢ゴム１２７を受け入れる小穴で終結している。
【００３５】
したがって、ゴムは、面１０３の一対の小穴１２８、縁１１１付近、保持壁１１５の一対の小穴１２９、自由縁１２１付近を通る。このゴムは、ここでは２対の小穴１２８、１２９の一方から他方へ直接延びている。
【００３６】
コンパートメント１００は、平らに畳まれた状態と、１つまたはそれより多くの物体を受け入れるべく開放している、展開した機能状態と、の間で切り替わることができる。機能状態では、コンパートメントは保持壁１１５の両側に１つずつで２つのコンパートメント１３０、１３１を含む。
【００３７】
平らな状態では、スリーブ１０２の複数の面は、４つのヒンジ辺１０７〜１１０で回動した後、それぞれ対１０３、１０４および１０５、１０６になり一方が他方の上になる。
【００３８】
スリーブは、保持壁１１５が２対の小穴１２８、１２９の一方から他方に掛かるゴム１２７の作用によってヒンジ辺に直交する辺１１６で回動することによって、開放した状態に保たれる。保持壁は、コンパートメント１００のスリーブ１０２の４つの面１０３〜１０６にほぼ垂直な面になり、保持壁はこれらの面に対して突き当て部として働く。そして壁１１５は引っ込んでいない位置にあって、コンパートメント１００を開放した位置に保つ。
【００３９】
コンパートメント１０１のスリーブ１０２は、壁１１５を引っ込ませる、すなわち壁をそのヒンジ辺１１６で回動させて下面１０５に対して押し付けるように引っ込ませ、その自由縁１２１を内面１０５の後方縁１１４に近づけるように移動させることで、折り畳まれる。
【００４０】
もう一方の要素１５０は、ここでは粘着手段によって要素１００に固定される。この要素１５０は、付勢ゴム１５７の固定と保持壁の逆の回動とによって関連する要素１００と区別できる。コンパートメント１５０のスリーブの下面１５５は、コンパートメント１００の上面１０３と同様に中心開口１５８を含む。さらに、ゴム１５７を、一方は引っ込み可能な保持壁１６０の自由縁１６１の小穴の対１５９、もう一方は下面１５５の下側後方縁の小穴の対との間で既述のようにコンパートメントの内側でぴんと張るのではなく、ゴム１５７はここでは中心開口１５８を経てコンパートメントの外を通る。
【００４１】
コンパートメント１００、１５０の２つの壁１１５、１６０の回動辺は対向しており、一方は図３では下面１０５にあり、もう一方はここではコンパートメント１５０の上面にあるが、この上面を関連するコンパートメントの下面と誤ってしまうことに注意すべきである。
【００４２】
図３を参照すると、ゴム１２７の力が保持壁１１５を正しく回動させて面１０３、１０５に垂直な平面にするには不十分である場合、保持壁１１５はこれら２つの天井面と床面との間の支え機能になることを保証できないことに注目すべきである。これが、図３に示したものを９０°回転させた位置でコンパートメント１００、そしてコンパートメント１５０を使用するほうが好ましい理由である。そうすることで、保持壁１１５は完全に回動しなくても、もはや１０３と１０５ではなく、これらの面に垂直な面１０４、１０６の間で支え機能を保証できる。この場合、引っ込んでいない位置にある保持壁１１５は面１０４、１０６と共に力を下方に伝えるロッドを形成し、かなりの重量の本体を支える役目を果たす。
【００４３】
図４を参照すると、基本支持体は平行六面体形の多面体コンパートメント２０１を含み、このコンパートメントは４つの外側ヒンジ辺２０７〜２１０でつながった４つの面２０３〜２０６を有するスリーブ２０２を含む。
【００４４】
上面２０３と下面２０５は両方とも、外側ヒンジ辺に平行な２本の折り畳み/ヒンジ/回動内側辺２１１、２１２に沿って２つの部分に折り畳むことができる。
【００４５】
スリーブ２０２の側面２０４、２０６とほぼ同じ寸法の引っ込み可能な壁２２１が、スリーブ２０２の下面２０５の下側回動辺２１２で回動できるように取り付けられている。
【００４６】
スリーブ２０２の上面２０３で、スリーブ２０２の面２０３の折り畳み線２１１の両側に、辺２０７、２１０に垂直な面２０３の縁２１３、２１４から凹みが形成されており、このような凹みは、付勢ゴム２１９、２２０を受け入れる小穴２１５〜２１８で終結している。また、引っ込み可能な壁２２１の回動辺２１２付近に、ヒンジ辺２０７〜２１０に直交する両辺２２２から凹みが形成されており、この凹みは付勢ゴム２１９〜２２０を受け入れる小穴２２３で終結している。
【００４７】
図４の実施形態では、引っ込み可能な壁２２１とスリーブ２０２の側面２０４、２０６が２２４、２２５でくり抜かれている。
【００４８】
他に４つの引っ込み可能な壁２３０〜２３２が設けられており、ヒンジ辺２０７〜２１０に直交するスリーブ２０２の４つの外側の辺２２６〜２２９で回動できるように取り付けられている。
【００４９】
したがって、コンパートメント２０１は、平らに折り畳まれた状態と、展開した機能状態で１つまたはそれより多くの物体を受け入れるべく開放した状態と、の間で切り替わることができる。
【００５０】
機能状態（図４）では、コンパートメントは、引っ込み可能な壁２２１の両側に１つずつで２つのコンパートメント２３３、２３４を含み、この壁は、引っ込んでいない位置では立ち上がって直線２１１、２１２に沿って上面２０３と下面２０５を保持するし、これらの面は引っ込み可能な壁と共に力を下方に伝えるロッドをなし、かなりの重量の本体を支える役目を果たす。
【００５１】
中間壁２２１の立ち上がった位置には、付勢ゴム２１９、２２０の作用によって到達する。スリーブ２０２を平行六面体形状に保持する力を高めるために、二次的な保持壁２３０〜２３２を、側面２０６、２０４を押し付けている位置からスリーブ２０２の面２０３〜２０６にほぼ直交する上面２０３と下面２０５を保持する位置までそれらの回動辺で回動させている。
【００５２】
二次的な保持壁２３０〜２３２を付勢ゴム２１９〜２２０の作用に抗してスリーブの側面へと折り畳み、中間保持壁２２１を辺２１２で回動させることで、コンパートメント２０１を平らにする。このように平らにする際、面２０３、２０５は直線２１１、２１２に沿って２つの部分に折り畳まれ、側面２０４、２０６は中間保持壁２２１の上側自由部位を介在して互いに当接する。
【図１】
0005339596.tif 000002
【図２】
0005339596.tif 000003
【図３】
0005339596.tif 000004
【図４】
0005339596.tif 000005